(57)【要約】【課題】厳しい使用条件においてころのフリクションを低減することができるころ軸受の保持器を提供する。【解決手段】ころ軸受の保持器１０は、軸線方向に間隔を空けて配置される１対の環状部１１，１１と、周方向に間隔を空けて配置されて１対の環状部１１，１１を連結する複数の柱部２１とを備える。柱部２１は、ポケット４０を区画する側壁面２２と、外径側に位置して側壁面２２からポケット４０に向かって突出する外径側ころ止め部２３と、内径側に位置して側壁面２２からポケット４０に向かって突出する内径側ころ止め部２４と、側壁面２２に形成される溝２５とを有する。【選択図】図１
2013217453.tif 000002
【特許請求の範囲】
【請求項１】
軸線方向に間隔を空けて配置される１対の環状部と、周方向に間隔を空けて配置されて前記１対の環状部を連結する複数の柱部とを備え、周方向で隣り合う２本の前記柱部の間にころを収容するためのポケットを形成するころ軸受の保持器であって、
前記柱部は、前記ポケットを区画する側壁面と、外径側に位置して前記側壁面から前記ポケットに向かって突出する外径側ころ止め部と、内径側に位置して前記側壁面から前記ポケットに向かって突出する内径側ころ止め部と、前記側壁面に形成される溝とを有する、ころ軸受の保持器。
【請求項２】
前記溝は、柱部の径方向外側から内側まで延び、ころのピッチ円と交差する、請求項１に記載のころ軸受の保持器。
【請求項３】
前記溝は、互いに平行に延びるよう複数形成される、請求項２に記載のころ軸受の保持器。
【請求項４】
前記溝は、前記外径側ころ止め部を貫通して延びる、請求項３に記載のころ軸受の保持器。
【請求項５】
前記溝は、柱部の軸線方向一方側から他方側に向かって延びる、請求項１に記載のころ軸受の保持器。
【請求項６】
前記外径側ころ止め部は、柱部の軸線方向中央領域に形成され、
前記溝は、前記外径側ころ止め部よりも径方向内側で、前記柱部の軸線方向一方端部から他方端部に向かって延びる、請求項５に記載のころ軸受の保持器。
【請求項７】
前記溝は、互いに平行に延びるよう複数形成される、請求項６に記載のころ軸受の保持器。
【請求項８】
前記溝は、径方向内側から径方向外側に向かって斜めに延びる、請求項６に記載のころ軸受の保持器。
【請求項９】
前記溝は、軸線方向一方側から他方側に向かうにつれて、径方向内側から径方向外側に向かって斜めに延び途中で向きを変えて径方向外側から径方向内側に向かって延びる、請求項８に記載のころ軸受の保持器。
【発明の詳細な説明】
【技術分野】
【０００１】
本発明は、ころ軸受に関し、特にころを収容するために複数のポケットを有する保持器に関する。
【背景技術】
【０００２】
転がり軸受のうち、針状ころなどのころ軸受は、外輪と内輪の間に、複数のころと、これらのころを周方向等間隔に保持する保持器を備える。各ころを各ポケットに保持する保持器としては従来、例えば特開平５−２０２９４２号公報（特許文献１）に記載されるものが知られている。特許文献１では、１対の側部リングとこれら側部リング同士を結合する複数のウェブ（柱部）によってポケットを画成する。そしてウェブには、各ポケットに向かって突出する外側突起および内側保持突起を設ける。外側突起は保持器の半径方向外周面に沿って配置され、ころの半径方向外側移動を規制する。また内側保持突起は保持器の半径方向内周面に沿って配置され、ころの半径方向内側移動を規制するというものである。
【先行技術文献】
【特許文献】
【０００３】
【特許文献１】特開平５−２０２９４２号公報
【発明の概要】
【発明が解決しようとする課題】
【０００４】
ところが、上記従来のようなころ軸受の保持器にあっては、ころに臨むウェブの案内面が、ころの外周面に沿って広がる凹曲面に形成され、凹曲面全体でころを案内するため、ころ外周面とウェブ案内面のフリクションが大きくなってしまうという問題がある。さらに近年、回転速度の高速化など軸受の使用条件が厳しくなってきており、軸受の耐久性能の要求が高まってきている。上記従来のようなころ軸受の保持器にあっては、厳しい使用条件においてころと向き合うウェブの案内面が油膜切れになる虞がある。そうすると、焼け付きが生じ、ころ軸受の耐久性が低下してしまう。
【０００５】
本発明は、上述の実情に鑑み、フリクションを低減し、厳しい使用条件のもとでも、安定して潤滑することができるころ軸受の保持器を提供することを目的とする。
【課題を解決するための手段】
【０００６】
この目的のため本発明によるころ軸受の保持器は、軸線方向に間隔を空けて配置される１対の環状部と、周方向に間隔を空けて配置されて１対の環状部を連結する複数の柱部とを備え、周方向で隣り合う２本の柱部の間にころを収容するためのポケットを形成するころ軸受の保持器であることを前提とする。そして柱部は、ポケットを区画する側壁面と、外径側に位置して側壁面からポケットに向かって突出する外径側ころ止め部と、内径側に位置して側壁面からポケットに向かって突出する内径側ころ止め部と、側壁面に形成される溝とを有する。
【０００７】
かかる本発明によれば、側壁面に溝が形成されることから、柱部の側壁面ところの外周面との接触面積が小さくなり、フリクションを低減することができる。また、潤滑油が溝を流れて側壁面を潤滑することから、ころと側壁面が当接しても焼け付きを防止することができる。本発明の保持器を製造する際、樹脂を射出成型して、ころ止め部と案内面と溝を同時に形成することができる。
【０００８】
側壁面１つ当たりに設けられる外径側ころ止め部の数は特に限定されない。例えば外径側ころ止め部は、軸線方向中央領域に１箇所設けられてもよいし、軸線方向一方および他方に２箇所設けられてもよいし、軸線方向に間隔を空けて複数箇所設けられてもよい。また外径側ころ止め部は、環状部と接続してもよいし、環状部から離隔してもよい。内径側ころ止め部についても同様である。外径側ころ止め部あるいは内径側ころ止め部を軸線方向に断続的に複数設けることによって、潤滑油が隣り合うころ止め部の間を流れることができる。したがって側壁面を径方向に流出入する潤滑油の通油性能が向上する。
【０００９】
柱部の側壁面に形成される溝は周方向に窪んでいることから、保持器の柱部を成型する金型を保持器のポケットに配置し、周方向に抜き取ることによって、側壁面の溝にバリが残存することを防止できる。なお保持器は円柱状のころを保持するものであればよく、軸長が相対的に長い針状ころあるいは軸長が相対的に短い円筒ころを保持する。あるいは本発明の保持器の他の製造方法として、金属で１対の環状部および複数の柱部を備える保持器の素形材を予め形成し、このとき柱部の側壁面をまず形成する。次に追加工で側壁面に溝を形成してもよい。
【００１０】
柱部の側壁面に形成される溝の延在方向は特に限定されない。本発明の一実施形態として、溝は、柱部の径方向外側から内側まで延び、ころのピッチ円と交差する。かかる実施形態によれば、回転による遠心力が作用すると、柱部ところの間の潤滑油が溝を経由して外径方向に流れることから、柱部の側壁面に油膜を形成し、潤滑性が向上する。したがって、厳しい使用条件のもとでころ外周面が柱部の側壁面に接触しても、焼け付きを防止することができる。
【００１１】
なお溝は１本でもよいが好ましくは複数形成される。好ましい実施形態として、溝は、互いに平行に延びるよう複数形成される。かかる実施形態によれば、保持器の回転の際、遠心力が作用して溝に潤滑油が流入し、側壁面に油膜を形成することできる。
【００１２】
一実施形態として、溝は外径側ころ止め部を貫通して延びる。かかる実施形態によれば、溝を流れる潤滑油の量を増やすことができる。他の実施形態として、溝は、内径側ころ止め部および外径側ころ止め部の双方を貫通して延びてもよく、あるいはいずれのころ止め部にも形成されないものであってもよい。
【００１３】
柱部の側壁面に形成される溝の延在方向は特に限定されない。本発明の別な実施形態として、溝は柱部の軸線方向一方側から他方側に向かって延びる。かかる実施形態によれば、溝に潤滑油が流れて柱部の側壁面に油膜を形成し、潤滑性が向上する。したがって、厳しい使用条件のもとでころ外周面が柱部の側壁面に接触しても、焼け付きを防止することができる。
【００１４】
一実施形態として、外径側ころ止め部は柱部の軸線方向中央領域に形成され、溝は外径側ころ止め部よりも径方向内側で柱部の軸線方向一方端部から他方端部に向かって延びる。かかる実施形態によれば、溝が外径側ころ止め部の軸線方向両端を越えて軸線方向一方側および他方側へ延びることから、溝に大量の潤滑油が流すことができる。他の実施形態として、溝の軸線方向長が外径側ころ止め部の軸線方向長と略等しい。あるいは外径側ころ止め部は柱部の軸線方向一方領域および他方領域に形成される。
【００１５】
一実施形態として、溝は互いに平行に延びるよう複数形成される。他の実施形態として、溝は径方向内側から径方向外側に向かって斜めに延びる。さらに他の実施形態として、溝は軸線方向一方側から他方側に向かうにつれて、径方向内側から径方向外側に向かって斜めに延び途中で向きを変えて径方向外側から径方向内側に向かって延びる。具体的には例えば、溝はジグザグあるいは波状に延びる。
【発明の効果】
【００１６】
このように本発明は、ころと保持器のフリクションを低減することができる。また、溝を経由して柱部ところの間の潤滑油を送り込むことが可能となり、潤滑性が向上する。したがって本発明の保持器を含むころ軸受は、ころの円滑な回転に寄与することができ、回転抵抗が少なく、厳しい使用条件に適合し得て、耐久性の向上と長寿命化に資する。
【図面の簡単な説明】
【００１７】
【図１】本発明の第１実施形態になるころ軸受の保持器を示す全体斜視図である。
【図２】第１実施形態の保持器を、軸線を含む平面で切断し、その断面を示す模式的な縦断面図である。
【図３】第１実施形態の保持器を軸線と直交する平面で切断し、その断面を拡大して示す横断面図である。
【図４】第１実施形態の保持器を、ピッチ円を含む円筒面で切断し、その断面を拡大して示す断面図である。
【図５】第１実施形態によって形成される油膜を模式的に示す縦断面図である。
【図６】第１実施形態の変形例を示す縦断面図である。
【図７】第１実施形態の別の変形例を示す縦断面図である。
【図８】第１実施形態のさらに別の変形例を示す縦断面図である。
【図９】本発明の第２実施形態になるころ軸受の保持器を示す全体斜視図である。
【図１０】第２実施形態の保持器を、軸線を含む平面で切断し、その断面を示す模式的な縦断面図である。
【図１１】第２実施形態の保持器を軸線と直交する平面で切断し、その断面を拡大して示す横断面図である。
【図１２】本発明の第３実施形態になるころ軸受の保持器を示す全体斜視図である。
【図１３】第３実施形態の保持器を、軸線を含む平面で切断し、その断面を示す模式的な縦断面図である。
【図１４】第３実施形態の保持器を軸線と直交する平面で切断し、その断面を拡大して示す横断面図である。
【図１５】第３実施形態の変形例を示す縦断面図である。
【図１６】第３実施形態の別の変形例を示す縦断面図である。
【図１７】第３実施形態のさらに別の変形例を示す縦断面図である。
【図１８】本発明の第４実施形態になるころ軸受の保持器を示す全体斜視図である。
【発明を実施するための形態】
【００１８】
以下、本発明の実施の形態を、図面に基づき詳細に説明する。図１は本発明の第１実施形態になる針状ころ軸受の保持器を示す斜視図である。図２は第１実施形態の保持器を、軸線を含む平面で切断し、その断面を示す模式的な縦断面図であり、図面の簡略化のため一部のポケットのみ表示する。図３は第１実施形態の保持器を軸線と直交する平面で切断し、その断面を拡大して示す横断面図である。なお図３は図２のIII−IIIにおける断面を表す。図４は第１実施形態の保持器を、ピッチ円を含む円筒面で切断し、その断面を拡大して示す断面図である。なお図４は図２のＡ−Ａにおける断面を表す。
【００１９】
保持器１０は、一般的なころ軸受に用いられるものであり、軸線方向に間隔を空けて配置される１対の環状部１１と、周方向に間隔を空けて配置されて１対の環状部１１を連結する複数の柱部２１，２１・・・とを備え、周方向で隣り合う２本の柱部２１，２１の間にころを収容するためのポケット４０を形成する。各ポケット４０は、針状のころ４１を収容する。保持器１０は図示しないころ軸受の外輪と内輪の間の環状空間に同軸に配置されて、この環状空間に複数配置されるころ４１を、周方向所定間隔に保持する。
【００２０】
ころ４１は保持器１０の厚みよりも大きな外径の外周面を有し、ピッチ円ＰＣＤ上に整列した状態で、図３に示すように外周面２１ｍから出ているとともに、内周面２１ｎからも出ている。
【００２１】
柱部２１には、ポケット４０を区画してころ４１に臨む平坦な側壁面２２が形成される。柱部２１の周方向一方側には、周方向一方のポケット４０を区画する側壁面２２が形成され、柱部２１の周方向他方側には、周方向他方のポケット４０を区画する側壁面２２が形成される。
【００２２】
図３に示すように、柱部２１には、外径側に位置して側壁面２２からポケット４０に向かって突出する外径側ころ止め部２３と、内径側に位置して側壁面２２からポケット４０に向かって突出する内径側ころ止め部２４とがさらに形成される。外径側ころ止め部２３は一点鎖線で示すころ４１のピッチ円ＰＣＤよりも外径側に配置される。また外径側ころ止め部２３は、側壁面２２の軸線方向中央領域に設けられ、１対の環状部１１，１１から離隔している。内径側ころ止め部２４はピッチ円ＰＣＤよりも内径側に配置され、軸線方向に延びる。内径側ころ止め部２４は軸線方向に延びる突条であって、内径側ころ止め部２４の軸線方向両端が１対の環状部１１とそれぞれ接続する。
【００２３】
各ポケット４０からみて周方向一方の柱部２１と、周方向他方の柱部２１の双方に、外径側ころ止め部２３および内径側ころ止め部２４が形成される。外径側ころ止め部２３はころ４１の外径方向移動を規制する。内径側ころ止め部２４はころ４１の内径方向移動を規制する。これによりころ４１がポケット４０から脱落することはない。側壁面２２はころ４１に臨み、ころ４１の外周面と向き合う。平坦な側壁面２２には直線状に延びる溝２５が形成される。このため、溝２５が形成されない側壁面２２の残部は平坦なままとされ、結果的に側壁面２２は凹凸にされる。
【００２４】
第１実施形態の保持器１０において、溝２５は、側壁面２２から周方向に窪み、図３に示すように柱部２１の径方向外側から内側まで延び、ころ４１のピッチ円ＰＣＤと交差する。また溝２５は、図２に示すように略径方向に互いに平行に延びるよう複数形成され、側壁面２２の軸線方向一方端から他方端までの軸線方向領域に形成される。さらに溝２５は、外径側ころ止め部２３を貫通して延び、図３に示すように柱部２１の外周面２１ｍに達する。このため外径側ころ止め部２３は隣り合う２本の溝２５，２５の間からポケット４０に向かって突出する小突起になる。そして外径側ころ止め部２３は軸線方向に間隔を開けて複数配置される。なお溝２５は内径側ころ止め部２４よりも外径側に位置し、内径側ころ止め部２４を貫通しない。
【００２５】
溝２５の断面形状を図４に示す。溝２５の溝底はＵ字形の凹部にされる。また溝２５と側壁面２２の角部２６が面取りされる。このため側壁面２２は、平行に複数形成される溝２５によって波形のようにされ、隣り合う溝２５，２５間に位置する側壁面２２の残部が突条を構成する。
【００２６】
上述した第１実施形態によれば、図４に示すように側壁面２２に溝２５が形成されることから、側壁面２２が凹凸にされる。したがって側壁面２２に凹凸が存在しない従来例と比較して、ころ４１の外周面と側壁面２２が接触する面積を小さくして、側壁面２２ところ４１のフリクションを減少させることができる。また１箇所の側壁面２２当たりに複数の溝２５が設けられることから、溝２５を流れる潤滑油で側壁面２２が潤滑される。
【００２７】
また第１実施形態によれば、保持器１０が回転すると遠心力の作用によって外径方向に潤滑油が流れ、溝２５に潤滑油が流入する。これにより図５に示すように油膜Ｆが形成される。したがって、ころ４１の外周面が側壁面２２に当接しても側壁面２２は油膜で保護され、高速回転などの厳しい使用条件において、側壁面２２の焼け付きを防止することができる。
【００２８】
また図には示さなかったが、角部２６の面取りを大きくして、隣り合う溝２５．２５間の側壁面２２の残部をＵ字形に突出する断面形状としてもよい。これにより、Ｕ字形に凹んだ断面形状の溝２５と、溝と溝の間の側壁面２２の突条残部が交互に連続して側壁面２２は波形の輪郭にされる。したがって油膜Ｆを形成し易くなる。
【００２９】
図６〜図８は、第１実施形態の変形例をそれぞれ示し、図２のＡ−Ａにおける断面を表す。これらの変形例では溝２５の断面形状のみを変更する。図６に示す変形例では、溝２５の断面形状がＶ字形にされる。図７に示す変形例では、溝２５の断面形状が矩形にされる。図８に示す変形例では、溝２５の断面形状が台形にされ、溝の入口から溝底に向かって溝幅が広くなる。また図には示さなかったが、図６〜図８に表される溝２５と側壁面２２との角部に面取りがされてもよい。
【００３０】
次に本発明の第２実施形態を説明する。図９は本発明の第２実施形態になるころ軸受の保持器を示す全体斜視図である。図１０は第２実施形態の保持器を、軸線を含む平面で切断し、その断面を示す模式的な縦断面図であり、図面の簡略化のため一部のポケットのみを表示する。図１１は第２実施形態の保持器を軸線と直交する平面で切断し、その断面を拡大して示す横断面図である。なお図１１は図１０のXI−XIにおける断面を表示する。また図１０のＡ−Ａにおける断面は図４に等しい。
【００３１】
第２実施形態につき、上述した第１実施形態と共通する構成については同一の符号を付して説明を省略し、異なる構成について以下に説明する。第２実施形態の保持器２０において、溝２５は、外径側ころ止め部２３と内径側ころ止め部２４との間の側壁面２２に配置される。そして溝２５は、外径側ころ止め部２３にも内径側ころ止め部２４にも形成されない。なお第２実施形態においても、溝２５の断面形状を図６〜図８に示すようにしてもよい。
【００３２】
第２実施形態によれば、側壁面２２に溝２５が形成されることから側壁面２２が凹凸にされる。したがって側壁面２２に凹凸が存在しない従来例と比較して、ころ４１と側壁面２２が接触する面積を小さくして、側壁面２２ところ４１のフリクションを減少させることができる。
【００３３】
また第２実施形態によれば、保持器２０が回転すると、遠心力の作用で潤滑油が溝２５を流れて、側壁面２２に油膜Ｆが形成される（図５）。したがって、ころ４１の外周面が側壁面２２に当接しても側壁面２２は油膜で保護され、高速回転などの厳しい使用条件において、側壁面２２の焼け付きを防止することができる。
【００３４】
次に本発明の第３実施形態を説明する。図１２は本発明の第３実施形態になるころ軸受の保持器を示す全体斜視図である。図１３は第３実施形態の保持器を、軸線を含む平面で切断し、その断面を示す模式的な縦断面図であり、図面の簡略化のため一部のポケットのみを表示する。図１４は第３実施形態の保持器を軸線と直交する平面で切断し、その断面を拡大して示す横断面図である。なお図１４は図１３のXIV−XIVにおける断面を表示する。
【００３５】
第３実施形態につき、上述した第１実施形態と共通する構成については同一の符号を付して説明を省略し、異なる構成について以下に説明する。第３実施形態の保持器３０において、溝２５は、外径側ころ止め部２３と内径側ころ止め部２４との間に配置される。溝２５は軸線方向一方側から軸線方向他方側に向かって延びる。
【００３６】
外径側ころ止め部２３は、図１３に示すように柱部２１の軸線方向中央領域に形成され、軸線方向に延びる突条である。溝２５は、太線で示すように外径側ころ止め部２３よりも径方向内側で、柱部２１の軸線方向一方端部から他方端部に向かって延びる。したがって溝２５は、外径側ころ止め部２３の軸線方向両端よりもさらに軸線方向一方側および軸線方向他方側に延びる。また溝２５は互いに平行となるよう２本設けられ、軸線方向に延びる。
【００３７】
第３実施形態によれば、側壁面２２に溝２５が形成されることから側壁面２２が凹凸にされる。したがって側壁面２２に凹凸が存在しない従来例と比較して、ころ４１と側壁面２２が接触する面積を小さくして、側壁面２２ところ４１のフリクションを減少させることができる。また第３実施形態によれば、潤滑油が溝２５に沿って流れる。これにより側壁面２２に油膜が形成される。したがって、ころ４１の外周面が側壁面２２に当接しても側壁面２２は油膜で保護され、高速回転などの厳しい使用条件において、側壁面２２を潤滑して側壁面２２の焼け付きを防止することができる。
【００３８】
また第３実施形態によれば、１箇所の側壁面２２当たりに複数の溝２５が設けられることから、溝２５を流れる潤滑油で側壁面２２が潤滑される。
【００３９】
なお図には示さなかったが、軸線方向に延びる溝２５は、１本のみ設けられてもよいし、３本以上設けられてもよい。
【００４０】
図１５〜図１７は、第３実施形態の変形例をそれぞれ示し、図１３に対応する図である。これらの変形例では溝２５の延在方向が軸線方向一方側から他方側に延びる点で共通するが、より具体的な延在方向がそれぞれ相違する。図１５に示す変形例では、太線で示すように２本の溝２５が柱部２１の軸線方向中央部で交差する。すなわち一方の溝２５が径方向内側かつ軸線方向一方側から径方向外側かつ軸線方向他方側まで斜めに延びる。他方の溝２５が径方向外側かつ軸線方向一方側から径方向内側かつ軸線方向他方側まで斜めに延びる。
【００４１】
図１６に示す変形例では、太線で示すように溝２５が１本のみ設けられ、径方向内側かつ軸線方向一方側から径方向外側かつ軸線方向他方側まで斜めに延びる。
【００４２】
図１７に示す変形例では、太線で示すように溝２５が１本のみ設けられ、軸線方向一方側から他方側に向かうにつれて、径方向内側から径方向外側に向かって斜めに延び途中で向きを変えて径方向外側から径方向内側に向かってジグザグに延びる。あるいは図示はしなかったが、溝２５はＶ字状、Ｗ字状、波状に延びてもよい。
【００４３】
かかる変形例においても、上述した図１２〜図１４に示す実施形態と同様に、フリクションを低減し、潤滑油が溝２５を流れることにより側壁面２２を潤滑して、厳しい使用条件であっても焼け付きを防止することができる。また、１箇所の側壁面２２当たりに溝２５が設けられることから、溝２５を流れる潤滑油で側壁面２２が潤滑される。
【００４４】
次に本発明の第４実施形態を説明する。図１８は本発明の第４実施形態になるころ軸受の保持器を示す全体斜視図である。第４実施形態は、図９に沿って説明した第２実施形態と基本構成が共通する。ただし第４実施形態では、外径側ころ止め部２３および内径側ころ止め部２４が軸線方向に間隔を空けて複数設けられる。
【００４５】
具体的には図１８に示すように、外径側ころ止め部２３は軸線方向一方および他方の２箇所に設けられ、軸線方向中央部には設けられない。また外径側ころ止め部２３は環状部１１から離隔する。内径側ころ止め部２４も、軸線方向一方および他方の２箇所に設けられ、軸線方向中央部には設けられず、環状部１１から離隔する。このように外径側ころ止め部２３および内径側ころ止め部２４は、軸線方向に間隔を空けて断続的に設けられる。これに対し溝２５は、側壁面２２の軸線方向全体に亘って多数本形成される。ただし溝２５は、側壁面２２の径方向中央領域に形成されて、外径側ころ止め部２３および内径側ころ止め部２４を貫通して延びるものではない。
【００４６】
第４実施形態によれば、外径側ころ止め部２３および内径側ころ止め部２４が軸線方向に間隔を空けて複数設けられることから、潤滑油が隣り合う外径側ころ止め部２３，２３の間と、隣り合う内径側ころ止め部２４，２４の間とを径方向に流れることができる。したがって第２実施形態（図９）のように外径側ころ止め部２３および内径側ころ止め部２４が１つの側壁面２２当たりに１箇所ずつ設けられて、外径側ころ止め部２３および内径側ころ止め部２４は軸線方向に連続して設けられる場合と比較して、側壁面２２に沿って流れる潤滑油の通油性能が向上する。
【００４７】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【００４８】
本発明において、柱部の側壁面に形成される溝は、これまで説明してきたように、略径方向に延びるものであってもよいし、軸線方向に延びるものであってもよいし、径方向かつ軸線方向に傾斜して延びるものであってもよいし、傾斜してジグザグに延びるものであってもよいし、これらの溝の組み合わせであってもよい。この他、図示はしなかったが、溝の延在方向は様々な実施形態が可能である。
【産業上の利用可能性】
【００４９】
この発明になるころ軸受の保持器は、内輪と外輪と転動体とを備える転がり軸受において有利に利用される。
【符号の説明】
【００５０】
１０  保持器、１１  環状部、２０  保持器、２１  柱部、２２  側壁面、２３  外径側ころ止め部、２４  内径側ころ止め部、２５  溝、２６  角部、３０  保持器、４０  ポケット、４１  ころ。
【図１】
2013217453.tif 000003
【図２】
2013217453.tif 000004
【図３】
2013217453.tif 000005
【図４】
2013217453.tif 000006
【図５】
2013217453.tif 000007
【図６】
2013217453.tif 000008
【図７】
2013217453.tif 000009
【図８】
2013217453.tif 000010
【図９】
2013217453.tif 000011
【図１０】
2013217453.tif 000012
【図１１】
2013217453.tif 000013
【図１２】
2013217453.tif 000014
【図１３】
2013217453.tif 000015
【図１４】
2013217453.tif 000016
【図１５】
2013217453.tif 000017
【図１６】
2013217453.tif 000018
【図１７】
2013217453.tif 000019
【図１８】
2013217453.tif 000020